(57)【要約】【課題】定量排出することができ、液体が空気に触れて変質することを防ぐプッシュ式定量ディスペンサーを提供する。【解決手段】プッシュ式定量ディスペンサーは、外瓶本体１、ロック蓋２、内瓶本体３、圧力ポンプアセンブリ４及び液体排出ヘッド５を備える。外瓶本体１は、中空内部を有するとともに、頂端に螺設部１２が設けられる。螺設部１２の中央部には、中空内部と連通する穿孔１３が形成される。ロック蓋２は、外瓶本体１の螺設部１２に対応して螺着されるとともに、外瓶本体１の頂端と連通する貫通孔２１を有する。貫通孔２１は、外蓋２２により覆われる。内瓶本体３は、外瓶本体１の中空内部に対応して配設されるとともに、液体を収容する液体収容空間を有し、液体収容空間と連通する貫通穴３２が頂部に形成される。液体収容空間内には、ピストン部材３３が配設され、内瓶本体３の底部は、底蓋３４により閉止される。【選択図】図１
0003229741.tif 000002
【実用新案登録請求の範囲】
【請求項１】
外瓶本体、ロック蓋、内瓶本体、圧力ポンプアセンブリ及び液体排出ヘッドを備えた、プッシュ式定量ディスペンサーであって、
前記外瓶本体は、中空内部を有するとともに、頂端に螺設部が設けられ、前記螺設部の中央部には、前記中空内部と連通する穿孔が形成され、
前記ロック蓋は、前記外瓶本体の前記螺設部に対応して螺着されるとともに、前記外瓶本体の頂端と連通する貫通孔を有し、前記貫通孔は、外蓋により覆われ、
前記内瓶本体は、前記外瓶本体の前記中空内部に対応して配設されるとともに、液体を収容する液体収容空間を有し、前記液体収容空間と連通する貫通穴が頂部に形成され、前記液体収容空間内には、ピストン部材が配設され、前記内瓶本体の底部は、底蓋により閉止され、
前記圧力ポンプアセンブリは、圧縮部を有し、前記圧縮部は、一端に液体排出管が接続され、他端に液体吸入管が接続され、前記液体吸入管は、前記貫通穴を介して前記内瓶本体の前記液体収容空間内に挿着され、前記圧縮部上には、弾性部材が設けられ、前記圧縮部及び前記弾性部材は、前記内瓶本体により押圧されて収縮され、前記弾性部材の付勢力により前記圧縮部が復位され、
前記液体排出ヘッドは、前記液体排出管に接続されるとともに、前記ロック蓋の前記貫通孔に位置することを特徴とする、
プッシュ式定量ディスペンサー。
【請求項２】
前記圧力ポンプアセンブリの前記圧縮部は、前記液体吸入管の頂端口に配設された固定蓋を含み、前記固定蓋の中央部には、可動スリーブを対応させて嵌入させる第１の孔部が形成され、前記可動スリーブは、前記第１の孔部内で移動可能であり、前記可動スリーブの頂端は、前記液体排出管と連通し、前記固定蓋と前記可動スリーブとの間には、前記弾性部材が嵌設され、前記可動スリーブの底縁には、環状凹溝が内方に設けられ、前記液体吸入管の壁内には、固定プラグが嵌着され、前記固定プラグは、前記環状凹溝に対応した箇所に凸部を有するとともに、液体案内管を対応して嵌入させる第２の孔部が中央部に形成され、前記液体案内管は、一端が前記液体吸入管と連通し、他端が前記可動スリーブと連通することを特徴とする請求項１に記載のプッシュ式定量ディスペンサー。
【考案の詳細な説明】
【技術分野】
【０００１】
本考案は、プッシュ式定量ディスペンサーに関し、特に、定量排出することができ、液体が空気に触れて変質することを防ぐプッシュ式定量ディスペンサーに関する。
【背景技術】
【０００２】
科学技術が進歩するに従い、人々の生活の品質が向上し、人々にとってスキンケアは徐々に重要視され、それに伴って美容産業が盛んに発展してきている。スキンケア製品又は化粧品の販売であっても、容器を取付けなければ、使用者にとってスキンケア製品又は化粧品をスプレーして容易に使用することができなかったため、スキンケア製品又は化粧品を収容するボトルの開発も美容産業の発展に伴って積極的に行われてきている。
【０００３】
一般によく見かけるスキンケア製品又は化粧品には、化粧水、乳液、エッセンス剤、ゼリー（ｃｏｓｍｅｔｉｃ  ｊｅｌｌｙ）、リキッドファンデーション、メイクアップ・フィクサー・リキッド（ｍａｋｅｕｐ  ｆｉｘｅｒ  ｌｉｑｕｉｄ）などが含まれ、上述したスキンケア製品又は化粧品は、ボトルに収容されることが一般的であった。
ボトルの構造は、基本的に瓶本体及びボトル蓋を含み、瓶本体とボトル蓋とは螺合方式により結合される。ボトルは、異物が外部から侵入することを防ぐため保存性が好ましく、操作が容易であるため、日常生活において携帯及び収納が容易なように、物を収容するために用いる。
【０００４】
ボトルには、液体、ローション、ペーストなど流体物（例えば、乳液）が収容され、使用者が実際に使用する際、ボトル蓋を直接開いて手につけてとる。しかし、このような従来の使用方式は、指を介して外部の汚染物が瓶口から瓶体内部に侵入して汚染が発生し、未だ使用していない内容物が細菌の増殖により変質してしまうなどの問題が生じることがあり、改善の余地があった。
【０００５】
上述したことに鑑み、プッシュ式ボトルが一部のメーカーにより開発されている。従来のプッシュ式ボトルは、瓶体、プッシュ部及び管体により構成されてなる。プッシュ部は、瓶体の瓶口に連結固定される。管体は、一端がプッシュ部に接続され、他端が瓶体内に向かって瓶体の内底部まで延びる。使用者がプッシュ部を押圧すると、瓶体内に収容された液体が管体により吸引されてプッシュ部のノズルまで案内され、ノズルから噴出するか流出する。
【０００６】
プッシュ式ボトルは、構造が簡素で使用し易いなどの特長を備えていたが、依然として以下の欠点があった。押圧する際、液体の排出量を調整することが容易でなく、押圧力が大きすぎる場合、排出量が多くなりすぎて無駄となることがある一方、押圧力が小さすぎる場合、液体の排出量が十分でない上、使用して内部の液体量が減ると、内部の液体が空気に触れる面積が増えて変質する虞があった。
【０００７】
こうした現状に鑑み、本考案者は鋭意研究を重ねた結果、本考案のプッシュ式定量ディスペンサーを完成したものである。
【考案の概要】
【考案が解決しようとする課題】
【０００８】
本考案の主な目的は、定量排出することができ、液体が空気に触れて変質することを防ぐプッシュ式定量ディスペンサーを提供することにある。
【課題を解決するための手段】
【０００９】
上記課題を解決するために、本考案の第１の形態によれば、外瓶本体、ロック蓋、内瓶本体、圧力ポンプアセンブリ及び液体排出ヘッドを備えた、プッシュ式定量ディスペンサーであって、前記外瓶本体は、中空内部を有するとともに、頂端に螺設部が設けられ、前記螺設部の中央部には、前記中空内部と連通する穿孔が形成され、前記ロック蓋は、前記外瓶本体の前記螺設部に対応して螺着されるとともに、前記外瓶本体の頂端と連通する貫通孔を有し、前記貫通孔は、外蓋により覆われ、前記内瓶本体は、前記外瓶本体の前記中空内部に対応して配設されるとともに、液体を収容する液体収容空間を有し、前記液体収容空間と連通する貫通穴が頂部に形成され、前記液体収容空間内には、ピストン部材が配設され、前記内瓶本体の底部は、底蓋により閉止され、前記圧力ポンプアセンブリは、圧縮部を有し、前記圧縮部は、一端に液体排出管が接続され、他端に液体吸入管が接続され、前記液体吸入管は、前記貫通穴を介して前記内瓶本体の前記液体収容空間内に挿着され、前記圧縮部上には、弾性部材が設けられ、前記圧縮部及び前記弾性部材は、前記内瓶本体により押圧されて収縮され、前記弾性部材の付勢力により前記圧縮部が復位され、前記液体排出ヘッドは、前記液体排出管に接続されるとともに、前記ロック蓋の前記貫通孔に位置することを特徴とするプッシュ式定量ディスペンサーを提供する。
【００１０】
前記圧力ポンプアセンブリの前記圧縮部は、前記液体吸入管の頂端口に配設された固定蓋を含み、前記固定蓋の中央部には、可動スリーブを対応させて嵌入させる第１の孔部が形成され、前記可動スリーブは、前記第１の孔部内で移動可能であり、前記可動スリーブの頂端は、前記液体排出管と連通し、前記固定蓋と前記可動スリーブとの間には、前記弾性部材が嵌設され、前記可動スリーブの底縁には、環状凹溝が内方に設けられ、前記液体吸入管の壁内には、固定プラグが嵌着され、前記固定プラグは、前記環状凹溝に対応した箇所に凸部を有するとともに、液体案内管を対応して嵌入させる第２の孔部が中央部に形成され、前記液体案内管は、一端が前記液体吸入管と連通し、他端が前記可動スリーブと連通することが好ましい。
【図面の簡単な説明】
【００１１】
【図１】本考案の一実施形態に係るプッシュ式定量ディスペンサーを示す分解斜視図である。
【図２】本考案の一実施形態に係るプッシュ式定量ディスペンサーを示す組立断面図である。
【図３】本考案の一実施形態に係るプッシュ式定量ディスペンサーを示す部分拡大図である。
【図４】本考案の一実施形態に係るプッシュ式定量ディスペンサーの押下動作（１）を示す断面図である。
【図５】本考案の一実施形態に係るプッシュ式定量ディスペンサーの押下動作（２）を示す断面図である。
【図６】本考案の一実施形態に係るプッシュ式定量ディスペンサーの押下動作（２）を示す部分拡大図である。
【考案を実施するための形態】
【００１２】
本考案の技術手段及びそれにより達成可能な効果を、より完全かつ明白に開示するために、開示した添付の図面及び符号と併せて本考案を以下に詳説する。
【００１３】
まず、図１及び図２を参照する。図１は、本考案の一実施形態に係るプッシュ式定量ディスペンサーを示す分解斜視図である。図２は、本考案の一実施形態に係るプッシュ式定量ディスペンサーを示す組立断面図である。図１及び図２に示すように、本考案の一実施形態に係るプッシュ式定量ディスペンサーは、少なくとも外瓶本体１、ロック蓋２、内瓶本体３、圧力ポンプアセンブリ４及び液体排出ヘッド５から構成されてなる。
【００１４】
外瓶本体１は、中空内部１１を有するとともに、頂端に螺設部１２が設けられる。上述した螺設部１２の中央部には、上述した中空内部１１と連通する穿孔１３が形成される。
【００１５】
ロック蓋２は、上述した外瓶本体１の螺設部１２に対応して螺着される。上述したロック蓋２は、上述した外瓶本体１の頂端と連通する貫通孔２１を有する。上述した貫通孔２１は、外蓋２２により覆われる。
【００１６】
内瓶本体３は、上述した外瓶本体１の中空内部１１に対応して配設される。上述した内瓶本体３は、液体を収容する液体収容空間３１を有し、上述した液体収容空間３１と連通する貫通穴３２が頂部に形成される。上述した液体収容空間３１内には、ピストン部材３３が配設される。上述した内瓶本体３の底部は、底蓋３４により閉止される。
【００１７】
圧力ポンプアセンブリ４は、圧縮部４１を有する。上述した圧縮部４１は、一端に液体排出管４２が接続され、他端に液体吸入管４３が接続される。上述した液体吸入管４３は、上述した貫通穴３２を介して上述した内瓶本体３の液体収容空間３１内に挿着され、上述した圧縮部４１上には、弾性部材４１１が設けられる。上述した圧縮部４１及び上述した弾性部材４１１は、上述した内瓶本体３により押圧されて収縮され、上述した弾性部材４１１の付勢力により上述した圧縮部４１が復位する。
【００１８】
液体排出ヘッド５は、上述した液体排出管４２に対応して接続され、上述した液体排出ヘッド５は、上述したロック蓋２の貫通孔２１に位置する。
【００１９】
図１〜図６を参照する。図１〜図６に示すように、液体排出ヘッド５は、例えば、ローラーボール（ｒｏｌｌｅｒ  ｂａｌｌ）、管口など、液体を排出させることができる如何なる形態でもよい。
上述した内瓶本体３の液体収容空間３１内には、各種スキンケアリキッド、化粧液などが充填可能である。実際に使用して組み立てる際、その上述した内瓶本体３は、内部にピストン部材３３が設けられ、底部が底蓋３４により閉止され、上述した内瓶本体３の貫通穴３２の端部に圧力ポンプアセンブリ４が組み合わされ、上述した内瓶本体３の液体収容空間３１を真空状態にし得る。上述した内瓶本体３を上述した外瓶本体１の中空内部１１に嵌着させ、上述した圧力ポンプアセンブリ４の液体排出管４２の端部が上述した穿孔１３から突出し、上述した液体排出ヘッド５に対応して組み合わすと、上述した外瓶本体１の螺設部１２に上述したロック蓋２が螺着され、上述した液体排出ヘッド５を貫通孔２１に位置させ、上述したロック蓋２は上述した外蓋２２に対応して覆う。
【００２０】
また、上述した圧力ポンプアセンブリ４の圧縮部４１は、上述した液体吸入管４３の頂端口に配設された固定蓋４１２を含む。上述した固定蓋４１２の中央部には、可動スリーブ４１３を対応させて嵌入させる第１の孔部４１２１が形成される。上述した可動スリーブ４１３は、上述した第１の孔部４１２１内で移動可能である。
上述した可動スリーブ４１３の頂端は、上述した液体排出管４２と連通し、上述した固定蓋４１２と上述した可動スリーブ４１３との間には、上述した弾性部材４１１が嵌設され、上述した可動スリーブ４１３の底縁には、環状凹溝４１３１が内方に設けられ、上述した液体吸入管４３の壁内には、固定プラグ（ｆｉｘｅｄ  ｐｌｕｇ）４１４が嵌着される。上述した固定プラグ４１４は、上述した環状凹溝４１３１に対応した箇所に凸部４１４１を有するとともに、液体案内管４１５を対応して嵌入させる第２の孔部４１４２が中央部に形成される。上述した液体案内管４１５は、一端が上述した液体吸入管４３と連通し、他端が上述した可動スリーブ４１３と連通する。
【００２１】
本実施形態のプッシュ式定量ディスペンサーを使用者が実際に使用して操作する際、上述した外瓶本体１の底部を介し、上述した内瓶本体３の底蓋３４を下から上方向へかけて押圧し、上述した内瓶本体３を中空内部１１で上方へ移動させ、変位過程において、上述した可動スリーブ４１３が液体排出ヘッド５に当接され、上述した可動スリーブ４１３を上述した第１の孔部４１２１内へ向かって変位させて引き込む。上述した弾性部材４１１を対応して圧縮させると、上述した液体吸入管４３内の液体が上方に押し出され、液体案内管４１５、可動スリーブ４１３、液体排出管４２を介して液体排出ヘッド５に至って液体が排出される。液体の排出行程において、上述した固定プラグ４１４の凸部４１４１が上述した可動スリーブ４１３の環状凹溝４１３１まで上昇する距離は、１回押圧して液体を排出する定量行程である。
【００２２】
底蓋３４に加える押圧力を開放すると、上述した弾性部材４１１の付勢力により、上述した内瓶本体３が復位し、上述した内瓶本体３を復位させると、それに伴って内部の上述したピストン部材３３が変位する。上述した液体吸入管４３から押し出された液体が補充される。これによって、対流問題が発生することを防ぎ、上述した内瓶本体３内部に発生する真空吸引により、液体が不用意に流出してしまうことを防ぐ。
【００２３】
上述したことから分かるように、本考案のプッシュ式定量ディスペンサーは、従来技術と比べ、以下（１）及び（２）の長所を有する。
（１）内瓶本体の底部を下から上方向へかけて押圧し、押下式操作の瓶体構造を形成し、設計が独創的である上、操作が容易である。
（２）圧力ポンプアセンブリの圧縮行程により、固定プラグの凸部が可動スリーブの環状凹溝まで上昇させる距離により、１回の押圧で液体を排出する定量行程を完了し、定量排出により無駄を無くすことができる。
【符号の説明】
【００２４】
１  外瓶本体
２  ロック蓋
３  内瓶本体
４  圧力ポンプアセンブリ
５  液体排出ヘッド
１１  中空内部
１２  螺設部
１３  穿孔
２１  貫通孔
２２  外蓋
３１  液体収容空間
３２  貫通穴
３３  ピストン部材
３４  底蓋
４１  圧縮部
４２  液体排出管
４３  液体吸入管
４１１  弾性部材
４１２  固定蓋
４１３  可動スリーブ
４１４  固定プラグ
４１５  液体案内管
４１２１  第１の孔部
４１３１  環状凹溝
４１４１  凸部
４１４２  第２の孔部
【図１】
0003229741.tif 000003
【図２】
0003229741.tif 000004
【図３】
0003229741.tif 000005
【図４】
0003229741.tif 000006
【図５】
0003229741.tif 000007
【図６】
0003229741.tif 000008